(57)【要約】【課題】ユーザによる無線ＬＡＮアクセスポイントに関する無線ＬＡＮ接続情報の設定操作を必要とすることなく、任意の無線ＬＡＮアクセスポイントへ容易に接続する。【解決手段】無線端末２から非接触ＩＣチップ２１と接続した非接触リーダライタ３を介して接続要求を網管理サーバ１へ送信し、網管理サーバの接続情報送信手段１５Ｂで、この接続要求に応じて記憶部１４の無線ＬＡＮ接続情報１４Ｂを非接触リーダライタ３を介して無線端末２へ送信し、無線端末２の接続情報取得手段２５Ａで、網管理サーバ１からの無線ＬＡＮ接続情報１４Ｂを非接触ＩＣチップ２１を介して取得する。【選択図】  図１
2007116319.tif 000002
【特許請求の範囲】
【請求項１】
閉域ＩＰ網に接続された無線ＬＡＮアクセスポイントと、無線回線を介して前記無線ＬＡＮアクセスポイントに接続し前記閉域ＩＰ網を用いたデータ通信を行う無線端末と、前記無線端末を管理する網管理サーバとを有する通信システムであって、
前記閉域ＩＰ網に接続されて近距離無線通信回線を介して近傍の非接触ＩＣチップと接続する非接触リーダライタをさらに備え、
前記無線端末は、近距離無線通信回線を介して近傍の非接触リーダライタと接続して前記網管理サーバへ接続要求を送信する非接触ＩＣチップと、前記無線ＬＡＮアクセスポイントに接続してデータ通信を行うための無線ＬＡＮ接続情報を前記接続要求に応じて前記網管理サーバから取得する接続情報取得手段と、前記無線ＬＡＮ接続情報を用いて前記無線ＬＡＮアクセスポイントを介した所望のデータ通信を行うデータ通信手段とを有し、
前記網管理サーバは、前記無線ＬＡＮアクセスポイントの無線ＬＡＮ接続情報を記憶する記憶部と、前記非接触リーダライタを介して受信した前記無線端末からの接続要求に応じて前記記憶部の無線ＬＡＮ接続情報を前記非接触リーダライタを介して前記無線端末へ送信する接続情報送信手段を有する
ことを特徴とする通信システム。
【請求項２】
請求項１に記載の通信システムにおいて、
前記非接触リーダライタとこれに対応する前記無線ＬＡＮアクセスポイントをそれぞれ複数備え、
前記記憶部は、前記無線ＬＡＮアクセスポイントごとにそれぞれ固有の無線ＬＡＮ接続情報を記憶し、
前記接続情報送信手段は、前記無線端末からの接続要求を受けた非接触リーダライタに対応する無線ＬＡＮアクセスポイントの無線ＬＡＮ接続情報を前記記憶部から取得し、前記非接触リーダライタを介して前記無線端末へ送信する
ことを特徴とする通信システム。
【請求項３】
閉域ＩＰ網に接続された無線ＬＡＮアクセスポイントと、前記閉域ＩＰ網に接続されて近距離無線通信回線を介して近傍の非接触ＩＣチップと接続する非接触リーダライタと、非接触ＩＣチップを用いて近傍の非接触リーダライタと接続するとともに無線ＬＡＮ通信回線を介して前記無線ＬＡＮアクセスポイントに接続し前記閉域ＩＰ網を用いたデータ通信を行う無線端末とを有する通信システムで用いられ、前記無線端末を管理する網管理サーバであって、
前記無線ＬＡＮアクセスポイントの無線ＬＡＮ接続情報を記憶する記憶部と、
前記非接触リーダライタを介して受信した前記無線端末からの接続要求に応じて前記記憶部の無線ＬＡＮ接続情報を前記非接触リーダライタを介して前記無線端末へ送信する接続情報送信手段と
を備えることを特徴とする網管理サーバ。
【請求項４】
請求項３に記載の網管理サーバにおいて、
前記記憶部は、前記各非接触リーダライタに対応する前記無線ＬＡＮアクセスポイントごとにそれぞれ固有の無線ＬＡＮ接続情報を記憶し、
前記接続情報送信手段は、前記無線端末からの接続要求を受けた非接触リーダライタに対応する無線ＬＡＮアクセスポイントの無線ＬＡＮ接続情報を前記記憶部から取得し、前記非接触リーダライタを介して前記無線端末へ送信する
ことを特徴とする網管理サーバ。
【請求項５】
閉域ＩＰ網に接続された無線ＬＡＮアクセスポイントと、前記閉域ＩＰ網に接続されて近距離無線通信回線を介して近傍の非接触ＩＣチップと接続する非接触リーダライタと、前記無線ＬＡＮアクセスポイントに接続される前記無線端末を管理する網管理サーバとを有する通信システムで用いられ、無線ＬＡＮ通信回線を介して前記無線ＬＡＮアクセスポイントに接続し前記閉域ＩＰ網を用いたデータ通信を行う無線端末であって、
近距離無線通信回線を介して近傍の非接触リーダライタと接続して前記網管理サーバへ接続要求を送信する非接触ＩＣチップと、
前記無線ＬＡＮアクセスポイントに接続してデータ通信を行うための無線ＬＡＮ接続情報を前記接続要求に応じて前記網管理サーバから取得する接続情報取得手段と、
前記無線ＬＡＮ接続情報を用いて前記無線ＬＡＮアクセスポイントを介した所望のデータ通信を行うデータ通信手段と
を備えることを特徴とする無線端末。
【請求項６】
閉域ＩＰ網に接続された無線ＬＡＮアクセスポイントと、前記閉域ＩＰ網に接続されて近距離無線通信回線を介して近傍の非接触ＩＣチップと接続する非接触リーダライタと、非接触ＩＣチップを用いて近傍の非接触リーダライタと接続するとともに無線ＬＡＮ通信回線を介して前記無線ＬＡＮアクセスポイントに接続し前記閉域ＩＰ網を用いたデータ通信を行う無線端末とを有する通信システムで用いられ、前記無線端末を管理する網管理サーバのコンピュータで、
前記無線ＬＡＮアクセスポイントの無線ＬＡＮ接続情報を記憶部で記憶する記憶ステップと、
前記非接触リーダライタを介して受信した前記無線端末からの接続要求に応じて前記記憶部の無線ＬＡＮ接続情報を前記非接触リーダライタを介して前記無線端末へ送信する接続情報送信ステップと
を実行させるプログラム。
【請求項７】
閉域ＩＰ網に接続された無線ＬＡＮアクセスポイントと、前記閉域ＩＰ網に接続されて近距離無線通信回線を介して近傍の非接触ＩＣチップと接続する非接触リーダライタと、前記無線ＬＡＮアクセスポイントに接続される前記無線端末を管理する網管理サーバとを有する通信システムで用いられ、無線ＬＡＮ通信回線を介して前記無線ＬＡＮアクセスポイントに接続し前記閉域ＩＰ網を用いたデータ通信を行う無線端末のコンピュータで、
非接触ＩＣチップにより近距離無線通信回線を介して近傍の非接触リーダライタと接続して前記網管理サーバへ接続要求を送信する接続要求ステップと、
前記無線ＬＡＮアクセスポイントに接続してデータ通信を行うための無線ＬＡＮ接続情報を前記接続要求に応じて前記網管理サーバから取得する接続情報取得ステップと、
前記無線ＬＡＮ接続情報を用いて前記無線ＬＡＮアクセスポイントを介した所望のデータ通信を行うデータ通信ステップと
を実行させるプログラム。
【発明の詳細な説明】
【技術分野】
【０００１】
本発明は、端末登録技術に関し、特に移動先の無線ＬＡＮアクセスポイントへ無線端末を接続してデータ通信を開始する際に用いる端末登録技術に関する。
【背景技術】
【０００２】
近年、無線データ通信技術の発展に伴い、携帯電話網に接続してデータ通信を行う携帯電話端末やＰＤＡ(Personal Digital Assistant)などの無線端末として、携帯電話網に接続する機能に加えて無線ＬＡＮに接続する機能を備え、無線ＬＡＮ通信端末としても使用可能な、いわゆる無線ＬＡＮデュアル端末が提案されている（例えば、非特許文献１など参照）。
【０００３】
この種の無線ＬＡＮデュアル端末は、従来の無線端末と同様に携帯電話網を介してデータ通信を行うことができるが、例えば社内の閉域ＩＰ網や公衆無線ＬＡＮに接続されている無線ＬＡＮアクセスポイントに接続することにより、携帯電話網を介してデータ通信を行う場合と比較して、より高速でデータ通信を行うことができる。したがって、ＩＰ網上のサーバにアクセスしてコンテンツを閲覧できるたけでなく、ＶｏＩＰを用いた無線ＬＡＮ電話機としても利用できる。
【０００４】
例えば、無線ＬＡＮデュアル携帯電話端末の場合、社内の電話システムが提供する無線ＬＡＮ通信エリアに在圏している際は、当該電話システムに端末登録して当該電話システムに収容された内線携帯電話端末として動作させ、外出などにより無線ＬＡＮ通信エリア外に移動した場合は、携帯電話網に端末登録して一般の携帯電話端末として動作させることができる。これにより、ユーザは同一無線ＬＡＮデュアル携帯電話端末を社内外にかかわらず共通して使用することが可能となる。
【０００５】
【非特許文献１】http://www.docomo.biz/html/product/cordless/n900il/index.html，株式会社エヌ・ティ・ティ・ドコモ
【発明の開示】
【発明が解決しようとする課題】
【０００６】
しかしながら、このような従来技術では、移動先の無線ＬＡＮアクセスポイントへ無線端末を接続してデータ通信を開始する際、当該無線ＬＡＮアクセスポイントで用いる各種セキュリティ情報を含む無線ＬＡＮ接続情報をユーザが設定操作する必要があり、ユーザへの操作負担となるととともに、任意の無線ＬＡＮアクセスポイントへ容易に接続できないという問題点があった。
【０００７】
無線ＬＡＮ通信方式では、任意の無線ＬＡＮアクセスポイントへ無線端末を接続してデータ通信を開始する場合、当該無線ＬＡＮアクセスポイントで用いる各種セキュリティ情報が必要となる。例えば、ＳＳＩＤ(Service Set Identifier)やＥＳＳ−ＩＤ(Extended Service Set Identifier)は、無線ＬＡＮ機器のグループを識別するための情報であり、アクセスポイントと無線端末で同じＳＳＩＤが登録されていないと通信することができない。また、ＷＥＰ(Wired Equivalent Privacy)キーは無線ＬＡＮでやり取りするデータを保護するために用いる暗号鍵であり、アクセスポイントと無線端末で同じキー情報を用いる必要がある。
【０００８】
したがって、例えばユーザが無線ＬＡＮデュアル携帯電話端末を社内外で共通して使用する場合、社内の在籍拠点の無線ＬＡＮアクセスポイントに対しては当該アクセスポイントのセキュリティ情報を最初に設定すればその設定内容が記憶されるため、帰社した時点で再設定する必要はないものの、例えば社内の他の事業所へ出張した場合には、その拠点の無線ＬＡＮアクセスポイントに関するセキュリティ情報を設定する必要がある。このような場合は、当該事業所の無線ＬＡＮアクセスポイントに関するセキュリティ情報を書類などで入手してユーザが無線ＬＡＮデュアル携帯電話端末へ設定する必要がある。
【０００９】
本発明はこのような課題を解決するためのものであり、ユーザによる無線ＬＡＮアクセスポイントに関する無線ＬＡＮ接続情報の設定操作を必要とすることなく、任意の無線ＬＡＮアクセスポイントへ容易に接続できる通信システム、網管理サーバ、無線端末、およびプログラムを提供することを目的としている。
【課題を解決するための手段】
【００１０】
このような目的を達成するために、本発明にかかる通信システムは、閉域ＩＰ網に接続された無線ＬＡＮアクセスポイントと、無線回線を介して無線ＬＡＮアクセスポイントに接続し閉域ＩＰ網を用いたデータ通信を行う無線端末と、無線端末を管理する網管理サーバとを有する通信システムであって、閉域ＩＰ網に接続されて近距離無線通信回線を介して近傍の非接触ＩＣチップと接続する非接触リーダライタをさらに備え、無線端末は、近距離無線通信回線を介して近傍の非接触リーダライタと接続して網管理サーバへ接続要求を送信する非接触ＩＣチップと、無線ＬＡＮアクセスポイントに接続してデータ通信を行うための無線ＬＡＮ接続情報を接続要求に応じて網管理サーバから取得する接続情報取得手段と、無線ＬＡＮ接続情報を用いて無線ＬＡＮアクセスポイントを介した所望のデータ通信を行うデータ通信手段とを有し、網管理サーバは、無線ＬＡＮアクセスポイントの無線ＬＡＮ接続情報を記憶する記憶部と、非接触リーダライタを介して受信した無線端末からの接続要求に応じて記憶部の無線ＬＡＮ接続情報を非接触リーダライタを介して無線端末へ送信する接続情報送信手段を有している。
【００１１】
この際、非接触ＩＣチップで、接続要求を送信する際、当該無線端末に固有の端末識別情報を含む接続要求を網管理サーバへ送信し、網管理サーバに、接続要求に含まれる無線端末の端末識別情報に基づき当該無線端末の認証を行う端末管理手段をさらに設け、接続情報送信手段で、端末管理手段での認証成功に応じて無線ＬＡＮ接続情報を無線端末へ送信するようにしてもよい。
【００１２】
また、無線端末に、公衆網を介して網管理サーバと接続し端末識別情報を含むユーザ登録要求を送信するユーザ登録要求手段をさらに設け、網管理サーバに、公衆網を介して受信したユーザ登録要求に含まれている端末識別情報を記憶部へ保存することによりユーザ登録を行うユーザ登録手段をさらに設け、端末管理手段で、記憶部の端末識別情報を参照して認証を行うようにしてもよい。
【００１３】
また、無線端末に、無線ＬＡＮアクセスポイントを介して網管理サーバと接続し当該無線端末をＩＰ電話端末として登録する端末登録要求を行うとともに、無線ＬＡＮアクセスポイントを介して閉域ＩＰ網に接続してＶｏＩＰ通話を行うＩＰ電話機能手段をさらに設け、網管理サーバに、無線ＬＡＮアクセスポイントを介して受信した無線端末からの端末登録要求に応じて当該無線端末を配下のＩＰ電話端末として端末登録する端末登録手段と、端末登録手段で端末登録された配下のＩＰ電話端末に対してＶｏＩＰ通話のための呼制御を行う呼制御手段とをさらに設けてもよい。
【００１４】
また、非接触リーダライタとこれに対応する無線ＬＡＮアクセスポイントをそれぞれ複数設け、記憶部で、無線ＬＡＮアクセスポイントごとにそれぞれ固有の無線ＬＡＮ接続情報を記憶し、接続情報送信手段で、無線端末からの接続要求を受けた非接触リーダライタに対応する無線ＬＡＮアクセスポイントの無線ＬＡＮ接続情報を記憶部から取得し、非接触リーダライタを介して無線端末へ送信するようにしてもよい。
【００１５】
また、本発明にかかる網管理サーバは、閉域ＩＰ網に接続された無線ＬＡＮアクセスポイントと、閉域ＩＰ網に接続されて近距離無線通信回線を介して近傍の非接触ＩＣチップと接続する非接触リーダライタと、非接触ＩＣチップを用いて近傍の非接触リーダライタと接続するとともに無線ＬＡＮ通信回線を介して無線ＬＡＮアクセスポイントに接続し閉域ＩＰ網を用いたデータ通信を行う無線端末とを有する通信システムで用いられ、無線端末を管理する網管理サーバであって、無線ＬＡＮアクセスポイントの無線ＬＡＮ接続情報を記憶する記憶部と、非接触リーダライタを介して受信した無線端末からの接続要求に応じて記憶部の無線ＬＡＮ接続情報を非接触リーダライタを介して無線端末へ送信する接続情報送信手段とを備えている。
【００１６】
この際、接続要求に含まれる無線端末の端末識別情報に基づき当該無線端末の認証を行う端末管理手段をさらに備え、接続情報送信手段で、端末管理手段での認証成功に応じて無線ＬＡＮ接続情報を無線端末へ送信するようにしてもよい。
【００１７】
また、公衆網を介して受信した無線端末からのユーザ登録要求に含まれている端末識別情報を記憶部へ保存することによりユーザ登録を行うユーザ登録手段をさらに備え、端末管理手段で、記憶部の端末識別情報を参照して認証を行うようにしてもよい。
【００１８】
また、無線ＬＡＮアクセスポイントを介して受信した無線端末からの端末登録要求に応じて当該無線端末を配下のＩＰ電話端末として端末登録する端末登録手段と、端末登録手段で端末登録された配下のＩＰ電話端末に対してＶｏＩＰ通話のための呼制御を行う呼制御手段とをさらに備えてもよい。
【００１９】
また、記憶部で、各非接触リーダライタに対応する無線ＬＡＮアクセスポイントごとにそれぞれ固有の無線ＬＡＮ接続情報を記憶し、接続情報送信手段で、無線端末からの接続要求を受けた非接触リーダライタに対応する無線ＬＡＮアクセスポイントの無線ＬＡＮ接続情報を記憶部から取得し、非接触リーダライタを介して無線端末へ送信するようにしてもよい。
【００２０】
また、本発明にかかる無線端末は、閉域ＩＰ網に接続された無線ＬＡＮアクセスポイントと、閉域ＩＰ網に接続されて近距離無線通信回線を介して近傍の非接触ＩＣチップと接続する非接触リーダライタと、無線ＬＡＮアクセスポイントに接続される無線端末を管理する網管理サーバとを有する通信システムで用いられ、無線ＬＡＮ通信回線を介して無線ＬＡＮアクセスポイントに接続し閉域ＩＰ網を用いたデータ通信を行う無線端末であって、近距離無線通信回線を介して近傍の非接触リーダライタと接続して網管理サーバへ接続要求を送信する非接触ＩＣチップと、無線ＬＡＮアクセスポイントに接続してデータ通信を行うための無線ＬＡＮ接続情報を接続要求に応じて網管理サーバから取得する接続情報取得手段と、無線ＬＡＮ接続情報を用いて無線ＬＡＮアクセスポイントを介した所望のデータ通信を行うデータ通信手段とを備えている。
【００２１】
この際、非接触ＩＣチップで、接続要求を送信する際、網管理サーバでの無線端末に対する認証に用いる、当該無線端末に固有の端末識別情報を含む接続要求を網管理サーバへ送信するようにしてもよい。
【００２２】
また、公衆網を介して網管理サーバと接続し端末識別情報を含むユーザ登録要求を送信するユーザ登録要求手段をさらに備えてもよい。
【００２３】
また、無線ＬＡＮアクセスポイントを介して網管理サーバと接続し当該無線端末をＩＰ電話端末として登録する端末登録要求を行うとともに、無線ＬＡＮアクセスポイントを介して閉域ＩＰ網に接続してＶｏＩＰ通話を行うＩＰ電話機能手段をさらに備えてもよい。
【００２４】
また、本発明にかかるプログラムは、閉域ＩＰ網に接続された無線ＬＡＮアクセスポイントと、閉域ＩＰ網に接続されて近距離無線通信回線を介して近傍の非接触ＩＣチップと接続する非接触リーダライタと、非接触ＩＣチップを用いて近傍の非接触リーダライタと接続するとともに無線ＬＡＮ通信回線を介して無線ＬＡＮアクセスポイントに接続し閉域ＩＰ網を用いたデータ通信を行う無線端末とを有する通信システムで用いられ、無線端末を管理する網管理サーバのコンピュータで、無線ＬＡＮアクセスポイントの無線ＬＡＮ接続情報を記憶部で記憶する記憶ステップと、非接触リーダライタを介して受信した無線端末からの接続要求に応じて記憶部の無線ＬＡＮ接続情報を非接触リーダライタを介して無線端末へ送信する接続情報送信ステップとを実行させる。
【００２５】
また、本発明にかかる他のプログラムは、閉域ＩＰ網に接続された無線ＬＡＮアクセスポイントと、閉域ＩＰ網に接続されて近距離無線通信回線を介して近傍の非接触ＩＣチップと接続する非接触リーダライタと、無線ＬＡＮアクセスポイントに接続される無線端末を管理する網管理サーバとを有する通信システムで用いられ、無線ＬＡＮ通信回線を介して無線ＬＡＮアクセスポイントに接続し閉域ＩＰ網を用いたデータ通信を行う無線端末のコンピュータで、非接触ＩＣチップにより近距離無線通信回線を介して近傍の非接触リーダライタと接続して網管理サーバへ接続要求を送信する接続要求ステップと、無線ＬＡＮアクセスポイントに接続してデータ通信を行うための無線ＬＡＮ接続情報を接続要求に応じて網管理サーバから取得する接続情報取得ステップと、無線ＬＡＮ接続情報を用いて無線ＬＡＮアクセスポイントを介した所望のデータ通信を行うデータ通信ステップとを実行させる。
【発明の効果】
【００２６】
本発明によれば、非接触リーダライタに対して無線端末が近接した際、無線端末の非接触ＩＣチップから非接触リーダライタを介して送信された接続要求に応じて、無線ＬＡＮアクセスポイントの無線ＬＡＮ接続情報が、網管理サーバから当該非接触リーダライタを介して無線端末へ送信されるため、無線端末が無線ＬＡＮアクセスポイントに接続してデータ通信を行うための無線ＬＡＮ接続情報を網管理サーバから容易に取得することができる。
【００２７】
これにより、ユーザが無線端末を非接触リーダライタへかざす、あるいは無線端末を携帯するユーザが非接触リーダライタの付近を通過するという極めて簡素な行為だけで、ユーザによる無線ＬＡＮアクセスポイントに関する無線ＬＡＮ接続情報の設定操作を必要とすることなく、任意の無線ＬＡＮアクセスポイントへ容易に接続でき、閉域ＩＰ網を用いた所望のデータ通信を行うことが可能となる。
したがって、社内やイベント会場の通信システムにおいて、ユーザの設定操作を必要とすることなく、異なる拠点の通信システムへユーザの無線端末を極めて容易に接続することが可能となる。
【発明を実施するための最良の形態】
【００２８】
次に、本発明の実施の形態について図面を参照して説明する。
［第１の実施の形態］
まず、図１を参照して、本発明の第１の実施の形態にかかる通信システムについて説明する。図１は、本発明の第１の実施の形態にかかる通信システムの構成を示すブロック図である。
【００２９】
通信システム１０（１０Ａ，１０Ｂ）は、無線ＬＡＮ通信方式を用いてデータ通信を行う無線端末２を閉域ＩＰ網７に接続することにより、無線端末２による閉域ＩＰ網７を用いた所望のデータ通信を実現する。
【００３０】
この通信システム１０には、網管理サーバ１、非接触リーダライタ３、無線ＬＡＮアクセスポイント４、およびデータサーバ５が設けられており、それぞれ閉域ＩＰ網７に接続されている。また、無線端末２が無線ＬＡＮ通信回線４０を介して無線ＬＡＮアクセスポイント４に接続されている。
【００３１】
網管理サーバ１は、無線ＬＡＮアクセスポイント４に接続される無線端末２を含む、閉域ＩＰ網７上の各装置を管理するサーバ装置である。非接触リーダライタ３は、近傍の非接触ＩＣチップに対して近距離無線通信方式を用いて任意のデータを読み書きすることによりデータ通信を行う通信装置である。無線ＬＡＮアクセスポイント４は、無線ＬＡＮ通信方式を用いて無線端末２とデータ通信を行う無線ＬＡＮ基地局装置である。データサーバ５は、蓄積している任意のデータを閉域ＩＰ網７および無線ＬＡＮアクセスポイント４を介して無線端末２へ配信するサーバ装置である。
【００３２】
無線端末２は、携帯電話端末やＰＤＡなどの、無線ＬＡＮ通信機能を有する端末装置からなり、無線ＬＡＮアクセスポイント４と接続して閉域ＩＰ網７に接続し、例えばデータサーバ５から任意のデータを取得して表示するなど、閉域ＩＰ網７を用いた所望のデータ通信を行う。この無線端末２には、近距離無線通信方式を用いてデータ通信を行う非接触ＩＣチップ２１が設けられており、この非接触ＩＣチップ２１から近距離無線通信回線３０を介して近傍の非接触リーダライタ３と接続される。
【００３３】
本実施の形態は、網管理サーバ１で、無線ＬＡＮアクセスポイント４に接続してデータ通信を行うための無線ＬＡＮ接続情報を記憶しておき、無線端末２の非接触ＩＣチップ２１から非接触リーダライタ３を介して送信された接続要求に応じて、無線ＬＡＮアクセスポイント４の無線ＬＡＮ接続情報を非接触リーダライタ３を介して無線端末２へ送信するようにしたものである。
【００３４】
［網管理サーバ］
次に、図２を参照して、本発明の第１の実施の形態にかかる通信システムで用いられる網管理サーバについて詳細に説明する。図２は、本発明の第１の実施の形態にかかる通信システムで用いられる網管理サーバの構成を示すブロック図である。
この網管理サーバ１は、各種情報処理を行うサーバ装置からなり、通信インターフェース部（以下、通信Ｉ／Ｆ部という）１１、記憶部１４、および制御部１５が設けられている。
【００３５】
通信Ｉ／Ｆ部１１は、専用の通信回路部からなり、閉域ＩＰ網７上の各装置とパケットをやり取りすることによりデータ通信を行う機能を有している。
記憶部１４は、ハードディスクやメモリなどの記憶装置からなり、制御部１５での各種処理に用いる処理情報とプログラム１４Ｐを記憶する機能を有している。プログラム１４Ｐは、制御部１５に読み込まれて実行されることにより各種機能手段を実現するプログラムであり、予め外部装置や記録媒体から取り込まれて記憶部１４へ格納される。
【００３６】
記憶部１４で記憶する主な処理情報としては、ユーザ管理情報１４Ａと無線ＬＡＮ接続情報１４Ｂがある。
ユーザ管理情報１４Ａは、無線端末２からの接続要求に応じて当該無線端末２が当該通信システム１０を利用可能な端末か否かを判断するユーザ認証を行うための認証情報であり、例えばＭＡＣアドレスなど各無線端末２に固有の端末識別情報を含む。
無線ＬＡＮ接続情報１４Ｂは、無線端末２が無線ＬＡＮアクセスポイント４に接続してデータ通信を行うための情報であり、ＳＳＩＤ(Service Set Identifier)あるいはＥＳＳ−ＩＤ(Extended Service Set Identifier)や、ＷＥＰ(Wired Equivalent Privacy)キーなどのセキュリティ情報を含む。
【００３７】
ＳＳＩＤやＥＳＳ−ＩＤは、無線ＬＡＮ機器のグループを識別するための情報であり、アクセスポイントと無線端末で同じＳＳＩＤが登録されている必要がある。ＷＥＰキーは無線ＬＡＮでやり取りするデータを保護するために用いる暗号鍵であり、アクセスポイントと無線端末で同じキー情報を用いる必要がある。
この無線ＬＡＮ接続情報１４Ｂは、無線ＬＡＮアクセスポイント４の設置の際に、オペレータにより設定入力され記憶部１４に格納され、無線端末２からの要求に応じて網管理サーバ１から非接触リーダライタ３を介して無線端末２へ通知される。
【００３８】
制御部１５は、ＣＰＵなどのマイクロプロセッサとその周辺回路を有し、記憶部１４からプログラム１４Ｐを読み込んで実行することにより、各種機能手段を実現する機能部である。
制御部１５で実現される主な機能手段としては、端末管理手段１５Ａおよび接続情報送信手段１５Ｂがある。
【００３９】
端末管理手段１５Ａは、非接触リーダライタ３および閉域ＩＰ網７を介して通信Ｉ／Ｆ部１１で受信された無線端末２からの接続要求に応じて、当該接続要求に含まれる端末識別情報と記憶部１４のユーザ管理情報１４Ａを比較して、当該無線端末２が当該通信システム１０を利用可能な端末か否かを判断するユーザ認証を行う機能を有している。
接続情報送信手段１５Ｂは、端末管理手段１５Ａでのユーザ認証の成功に応じて記憶部１４の無線ＬＡＮ接続情報１４Ｂを通信Ｉ／Ｆ部１１から閉域ＩＰ網７および非接触リーダライタ３を介して当該無線端末２へ送信する機能を有している。
【００４０】
［無線端末］
次に、図３を参照して、本発明の第１の実施の形態にかかる通信システムで用いられる無線端末について説明する。図３は、本発明の第１の実施の形態にかかる通信システムで用いられる無線端末の構成を示すブロック図である。
この無線端末２は、無線ＬＡＮ通信回線４０を介して無線ＬＡＮデータ通信を行う、携帯電話端末やＰＤＡなどの通信端末であり、非接触ＩＣチップ２１、無線ＬＡＮインターフェース部（以下、無線ＬＡＮＩ／Ｆ部という）２２、記憶部２４、制御部２５、操作入力部２６、および画面表示部２７が設けられている。
【００４１】
非接触ＩＣチップ２１は、内部メモリを有する専用の近距離無線通信用ＩＣチップからなり、近傍の非接触リーダライタ３と近距離無線通信回線３０を介して接続する機能と、近距離無線通信方式（例えば、ISO/IEC IS 18092など）を用いた非接触リーダライタ３からの指示や制御部２５からの指示に応じて内部メモリに対して任意のデータを読み書きすることにより、非接触リーダライタ３と制御部２５との間のデータ通信を実現する機能とを有している。
【００４２】
無線ＬＡＮＩ／Ｆ部２２は、専用の無線ＬＡＮ通信回路部からなり、無線ＬＡＮ通信回線４０を介して無線ＬＡＮアクセスポイント４と接続し、無線ＬＡＮ通信方式を用いて無線ＬＡＮデータ通信を行う機能を有している。
【００４３】
記憶部２４は、メモリやハードディスクなどの記憶装置からなり、制御部２５での各種処理に用いる処理情報とプログラム２４Ｐを記憶する機能を有している。プログラム２４Ｐは、制御部２５に読み込まれて実行されることにより各種機能手段を実現するプログラムであり、予め外部装置や記録媒体から取り込まれて記憶部２４へ格納される。
【００４４】
記憶部２４で記憶する主な処理情報としては、端末識別情報２４Ａと無線ＬＡＮ接続情報２４Ｂがある。
端末識別情報２４Ａは、例えばＭＡＣアドレスなど当該無線端末２に固有の端末識別情報であり、所望の通信システム１０へ接続する際、当該無線端末２が当該通信システム１０を利用可能な端末か否かを判断するための認証情報として用いられる。この端末識別情報２４Ａは、製造時や初期設定時に予め設定される。
【００４５】
無線ＬＡＮ接続情報２４Ｂは、無線端末２が無線ＬＡＮアクセスポイント４に接続してデータ通信を行うための情報であり、ＳＳＩＤあるいはＥＳＳ−ＩＤや、ＷＥＰキーなどのセキュリティ情報を含む。この無線ＬＡＮ接続情報２４Ｂは、制御部２５により非接触ＩＣチップ２１を介して網管理サーバ１から取得して記憶部２４へ保存される。
【００４６】
制御部２５は、ＣＰＵなどのマイクロプロセッサとその周辺回路を有し、記憶部２４からプログラム２４Ｐを読み込んで実行することにより、各種機能手段を実現する機能部である。
制御部２５で実現される主な機能手段としては、接続情報取得手段２５Ａおよびデータ通信手段２５Ｂがある。
【００４７】
接続情報取得手段２５Ａは、非接触ＩＣチップ２１の内部メモリに対して記憶部２４の端末識別情報２４Ａを含む接続要求を予め書き込む機能と、非接触ＩＣチップ２１が近傍の非接触リーダライタ３と近距離無線通信回線３０を介して接続した際、非接触ＩＣチップ２１から非接触リーダライタ３および閉域ＩＰ網７を介して網管理サーバ１へ送信された接続要求に応じて、網管理サーバ１から返送された無線ＬＡＮ接続情報１４Ｂを取得して記憶部２４へ無線ＬＡＮ接続情報２４Ｂとして保存する機能を有している。
【００４８】
データ通信手段２５Ｂは、接続情報取得手段２５Ａにより網管理サーバ１から取得して記憶部２４に保存してある無線ＬＡＮ接続情報２４Ｂを用いて無線ＬＡＮＩ／Ｆ部２２から無線ＬＡＮアクセスポイント４と接続し、閉域ＩＰ網７を用いたＩＰデータ通信を行う機能を有している。
【００４９】
操作入力部２６は、各種キーやポインティングデバイスなどの操作入力装置からなり、ユーザの操作を検出して制御部２５へ出力する機能を有している。
画面表示部２７は、ＬＣＤやＰＤＰなどの画面表示装置からなり、制御部２５からの指示に応じて各種情報を画面表示する機能を有している。
【００５０】
［第１の実施の形態の動作］
次に、図４を参照して、本発明の第１の実施の形態にかかる通信システムの動作について説明する。図４は、本実施の形態にかかる通信システムの動作を示すシーケンス図である。
【００５１】
ここでは、ユーザが携帯している無線端末２を通信システム１０Ａの非接触リーダライタ３へ近接させることにより、無線端末２で網管理サーバ１から非接触ＩＣチップ２１を介して無線ＬＡＮ接続情報２４Ｂを取得し、その無線ＬＡＮ接続情報２４Ｂを用いて無線ＬＡＮアクセスポイント４と接続し、閉域ＩＰ網７を用いたＩＰデータ通信を行う場合について説明する。
【００５２】
ユーザは、所望の通信システム１０Ａの閉域ＩＰ網７を用いて所望のＩＰデータ通信を行う場合、当該通信システム１０Ａの非接触リーダライタ３へ無線端末２を近接させる。例えば通信システム１０Ａが出張先事業所や任意のイベント会場で閉域ＩＰ網７を提供するシステムの場合、その事業所やイベント会場の入口に非接触リーダライタ３を設けておけばよい。
【００５３】
無線端末２を非接触リーダライタ３へ近接させた場合、無線端末２の非接触ＩＣチップ２１と非接触リーダライタ３とが近接し（ステップ１００）、非接触ＩＣチップ２１が非接触リーダライタ３と近距離無線通信回線３０を介して接続される。これに応じて、非接触リーダライタ３に読み出し動作により、非接触ＩＣチップ２１の内部メモリに予め書き込まれている接続要求が非接触リーダライタ３へ送信され（ステップ１０１）、非接触リーダライタ３から閉域ＩＰ網７を介して網管理サーバ１へ通知される。
【００５４】
網管理サーバ１の制御部１５は、通信Ｉ／Ｆ部１１を介して非接触リーダライタ３から接続要求を受信した場合、接続情報送信手段１５Ｂにより、当該接続要求に含まれている無線端末２の端末識別情報２４Ａと記憶部１４のユーザ管理情報１４Ａとを比較することにより無線端末２のユーザ認証を行う（ステップ１０２）。
ここで、当該接続要求に含まれている無線端末２の端末識別情報２４Ａがユーザ管理情報１４Ａに登録されておらずユーザ認証に失敗した場合、接続情報送信手段１５Ｂは、当該無線端末２に対して閉域ＩＰ網７への接続は不可であると判断し、当該無線端末２に対する無線ＬＡＮ接続情報１４Ｂの送信は行わない。
【００５５】
一方、当該接続要求に含まれている無線端末２の端末識別情報２４Ａがユーザ管理情報１４Ａに登録されておりユーザ認証に成功した場合、接続情報送信手段１５Ｂは、当該無線端末２に対して閉域ＩＰ網７への接続は可であると判断し、記憶部１４から無線ＬＡＮ接続情報１４Ｂを取得して、通信Ｉ／Ｆ部１１から閉域ＩＰ網７を介して非接触リーダライタ３へ送信する（ステップ１０３）。
これに応じて、非接触リーダライタ３の書き込み動作により、網管理サーバ１からの無線ＬＡＮ接続情報１４Ｂが非接触リーダライタ３から無線端末２の非接触ＩＣチップ２１へ送信される。
【００５６】
無線端末２の制御部２５は、非接触ＩＣチップ２１に対する非接触リーダライタ３の書き込み動作に応じて、接続情報取得手段２５Ａにより、非接触ＩＣチップ２１で受信された無線ＬＡＮ接続情報１４Ｂを取得して、記憶部２４へ無線ＬＡＮ接続情報２４Ｂとして保存する（ステップ１０４）。
【００５７】
その後、制御部２５は、データ通信手段２５Ｂにより、記憶部２４に保存してある無線ＬＡＮ接続情報２４Ｂを用いて、無線ＬＡＮＩ／Ｆ部２２から無線ＬＡＮアクセスポイント４との間で、無線ＬＡＮ通信方式に基づく無線ＬＡＮ接続処理を行い（ステップ１０５）、接続処理完了後、無線ＬＡＮアクセスポイント４を介して閉域ＩＰ網７と接続し、例えばデータサーバ５との間で閉域ＩＰ網７を用いたＩＰデータ通信を開始する（ステップ１０６）。
【００５８】
このように、本実施の形態は、無線端末２から非接触ＩＣチップ２１と接続した非接触リーダライタ３を介して接続要求を網管理サーバ１へ送信し、網管理サーバの接続情報送信手段１５Ｂで、この接続要求に応じて記憶部１４の無線ＬＡＮ接続情報１４Ｂを非接触リーダライタ３を介して無線端末２へ送信し、無線端末２の接続情報取得手段２５Ａで、網管理サーバ１からの無線ＬＡＮ接続情報１４Ｂを非接触ＩＣチップ２１を介して取得するようにしたので、無線端末２が無線ＬＡＮアクセスポイント４に接続してデータ通信を行うための無線ＬＡＮ接続情報を網管理サーバ１から容易に取得することができる。
【００５９】
これにより、ユーザが無線端末２を非接触リーダライタ３へかざす、あるいは無線端末２を携帯するユーザが非接触リーダライタ３の付近を通過するという極めて簡素な行為だけで、ユーザによる無線ＬＡＮアクセスポイントに関する無線ＬＡＮ接続情報の設定操作を必要とすることなく、任意の無線ＬＡＮアクセスポイントへ容易に接続でき、閉域ＩＰ網７を用いた所望のデータ通信を行うことが可能となる。
【００６０】
したがって、本実施の形態を社内通信システムに適応した場合、異なる事業所の通信システム１０Ａ，１０Ｂへユーザの無線端末２を極めて容易に接続することが可能となる。
すなわち、ユーザが他の事業所へ出張した際、ユーザが携帯する携帯電話機などの無線端末２を、その事業所の入口に設置された通信システム１０Ｂの非接触リーダライタ３に近接させることにより、ユーザは無線端末２を出張先事業所の通信システム１０Ｂに容易に接続できる。
【００６１】
これにより、ユーザは自己の無線端末２からデータサーバ５にアクセスしてコンテンツやメールを閲覧でき、当該無線端末２がＩＰ電話機能を有している場合には、閉域ＩＰ網７に接続されているＩＰ電話装置とＶｏＩＰ通話を行うことも可能となる。
また、出張先から帰社した際、その社屋の入口に設置された通信システム１０Ａの非接触リーダライタ３にユーザが無線端末２に近接させることにより、ユーザは自己の無線端末２を出張先事業所の通信システム１０Ｂに容易に接続でき、コンテンツやメールの閲覧、さらにはＶｏＩＰ通話などを行うことが可能となる。
【００６２】
また、本実施の形態をイベント会場の通信システムに適応した場合、異なる会場の通信システム１０Ａ，１０Ｂへユーザの無線端末２を極めて容易に接続することが可能となる。
すなわち、ユーザが任意の会場へ入場する際、ユーザが携帯する携帯電話機などの無線端末２を、その会場の入口に設置された通信システム１０Ａ，１０Ｂの非接触リーダライタ３に近接させることにより、ユーザは無線端末２を会場の通信システム１０Ａ，１０Ｂに容易に接続できる。
【００６３】
これにより、個々の会場に設けられたブースの説明などのコンテンツをそれぞれの会場の閉域ＩＰ網７上のデータサーバ５で公開しておけば、ユーザが会場を移動するごとに各会場に固有のコンテンツを容易に閲覧できる。
また、ユーザの設定操作負担が軽減されることから会場ごとに個別の閉域ＩＰ網７を容易に構築できる。これにより、閉域ＩＰ網７の負荷を分散することができ、小さいハードウェア資源で効率のよい通信システムを構築できる。
【００６４】
また、本実施の形態では、無線端末２から網管理サーバ１へ送信する接続情報に、当該無線端末２に固有の端末識別情報２４Ａを含めて送信し、網管理サーバ１の端末管理手段１５Ａで、接続要求に含まれる無線端末２の端末識別情報２４Ａに基づき当該無線端末２の認証を行い、この認証成功に応じて無線ＬＡＮ接続情報１４Ｂを無線端末２へ送信するようにしたので、認証が得られた無線端末２にのみ無線ＬＡＮ接続情報１４Ｂを送信することができ、通信システムとして高いセキュリティ性が得られる。
【００６５】
［第２の実施の形態］
次に、図５を参照して、本発明の第２の実施の形態にかかる通信システムについて説明する。図５は、本発明の第２の実施の形態にかかる通信システムの構成を示すブロック図である。
第１の実施の形態では、予め網管理サーバ１にユーザ認証用のユーザ管理情報１４Ａが登録されている場合を例として説明した。本実施の形態では、公衆網８を介してユーザが無線端末２から網管理サーバ１へユーザ登録し、ユーザ認証に必要な端末識別情報を通知する場合について説明する。
【００６６】
図５において、公衆網８は、一般ユーザが使用できるＩＰデータ通信が可能な通信網である。ここでは網管理サーバ１が電話回線９Ａを介して接続される公衆電話網（ＰＳＴＮ）８Ａと、無線端末２が無線回線９Ｂを介して接続される公衆携帯電話網８Ｂとで公衆網８が構成されており、公衆電話網８Ａと公衆携帯電話網８Ｂとが網間接続されて、相互にＩＰデータ通信が可能である。
【００６７】
［網管理サーバ］
次に、図６を参照して、本発明の第２の実施の形態にかかる通信システムで用いられる網管理サーバについて詳細に説明する。図６は、本発明の第２の実施の形態にかかる通信システムで用いられる網管理サーバの構成を示すブロック図であり、前述の図２と同じまたは同等部分には同一符号を付してある。
【００６８】
この網管理サーバ１には、図２と比較して、網インターフェース部（以下、網Ｉ／Ｆ部という）１２、記憶部１４の接続アプリ１４Ｑ、および制御部１５のユーザ登録手段１５Ｃがそれぞれ追加されている。なお、網管理サーバ１におけるこれら以外の構成については前述と同様であり、ここでの詳細な説明は省略する。
【００６９】
網Ｉ／Ｆ部１２は、専用の通信回路部からなり、電話回線９Ａを介して公衆電話網８Ａに接続してデータ通信を行う機能を有している。
記憶部１４の接続アプリ１４Ｑは、無線端末２用のアプリケーションプログラムであり、無線端末２が網管理サーバ１へユーザ登録したり、無線ＬＡＮ接続情報１４Ｂを取得したりするための一連の処理を行うプロクラムである。
【００７０】
制御部１５のユーザ登録手段１５Ｃは、網Ｉ／Ｆ部１２から公衆網８を介して無線端末２へ接続アプリ１４Ｑを送信する機能と、網Ｉ／Ｆ部１２から公衆網８を介して無線端末２から端末識別情報２４Ａを受け取って記憶部１４のユーザ管理情報１４Ａへ保存することにより無線端末２のユーザ登録を行う機能とを有している。
【００７１】
［無線端末］
次に、図７を参照して、本発明の第２の実施の形態にかかる通信システムで用いられる無線端末について説明する。図７は、本発明の第２の実施の形態にかかる通信システムで用いられる無線端末の構成を示すブロック図であり、前述の図３と同じまたは同等部分には同一符号を付してある。
【００７２】
この無線端末２には、図３と比較して、無線インターフェース部（以下、無線Ｉ／Ｆ部という）２３、記憶部２４の接続アプリ２４Ｑ、および制御部２５の接続アプリ取得手段２５Ｃとユーザ登録要求手段２５Ｄがそれぞれ追加されている。なお、無線端末２におけるこれら以外の構成については前述と同様であり、ここでの詳細な説明は省略する。
【００７３】
無線Ｉ／Ｆ部２３は、専用の通信回路部からなり、無線回線９Ｂを介して公衆携帯電話網８Ｂに接続してデータ通信を行う機能を有している。
記憶部２４の接続アプリ２４Ｑは、公衆網８を介して網管理サーバ１から取得した無線端末２用のアプリケーションプログラムである。
【００７４】
制御部２５の接続アプリ取得手段２５Ｃは、無線Ｉ／Ｆ部２３から公衆網８を介して接続した網管理サーバ１から接続アプリ１４Ｑを取得して記憶部２４へ接続アプリ２４Ｑとして保存する機能を有している。
ユーザ登録要求手段２５Ｄは、無線Ｉ／Ｆ部２３から公衆網８を介して網管理サーバ１へ接続してユーザ登録処理を行うことにより、記憶部２４の端末識別情報２４Ａを網管理サーバ１へ通知する機能を有している。
【００７５】
［第２の実施の形態の動作］
次に、図８を参照して、本発明の第２の実施の形態にかかる通信システムの動作について説明する。図８は、本発明の第２の実施の形態にかかる通信システムのユーザ登録動作を示すシーケンス図である。
【００７６】
無線端末２の制御部２５は、操作入力部２６で検出されたユーザによるアプリ取得要求操作に応じて、接続アプリ取得手段２５Ｃにより、無線Ｉ／Ｆ部２３から無線回線９Ａを介して公衆携帯電話網８Ｂへ接続し、網管理サーバ１に対してアプリ取得要求を送信する（ステップ１１０）。
網管理サーバ１の制御部１５は、公衆電話網８Ａおよび電話回線９Ａを介して通信Ｉ／Ｆ部１１により無線端末２からのアプリ取得要求が受信された場合、ユーザ登録手段１５Ｃにより、記憶部１４から接続アプリ１４Ｑを読み出して通信Ｉ／Ｆ部１１から公衆網８を介して無線端末２へ送信する（ステップ１１１）。
【００７７】
無線端末２の接続アプリ取得手段２５Ｃは、公衆網８を介して無線Ｉ／Ｆ部２３で受信した接続アプリ１４Ｑを記憶部２４へ接続アプリ２４Ｑとして保存する（ステップ１１２）。
その後、無線端末２の制御部２５は、操作入力部２６で検出されたユーザによるアプリ起動操作に応じて、記憶部２４の接続アプリ２４Ｑを起動する（ステップ１２０）。これにより、ユーザ登録要求手段２５Ｄと接続情報取得手段２５Ａが接続アプリ２４Ｑにより実現される。
【００７８】
続いて、ユーザ登録要求手段２５Ｄは、無線Ｉ／Ｆ部２３から無線回線９Ａを介して公衆携帯電話網８Ｂへ接続し、網管理サーバ１に対して認証要求を送信する（ステップ１２１）。網管理サーバ１の制御部１５は、この認証要求に応じてユーザ登録手段１５Ｃにより、認証情報入力画面を含む認証情報入力要求を公衆網８を介して無線端末２へ返送する（ステップ１２２）。
【００７９】
ユーザ登録要求手段２５Ｄは、これに応じて認証要求画面を画面表示部２７へ表示し、これに応じてユーザが入力したユーザＩＤやパスワードを操作入力部２６により検出し、これら認証情報と記憶部２４の端末識別情報２４Ａを含むユーザ登録要求を網管理サーバ１へ送信する（ステップ１２３）。
網管理サーバ１のユーザ登録手段１５Ｃは、これに応じてユーザ登録要求に含まれる認証情報と記憶部１４のユーザ管理情報１４Ａとを比較することにより認証を行い（ステップ１２４）、認証成功後、ユーザ登録要求に含まれる端末識別情報２４Ａを記憶部１４のユーザ管理情報１４Ａへ登録することによりユーザ登録を行う（ステップ１２５）。
【００８０】
図９は、網管理サーバ１の記憶部１４に保存されているユーザ管理情報の構成例である。この例では、ユーザに固有のユーザＩＤおよびパスワードがユーザ情報として予め設定されており、このユーザ情報と無線端末２から通知された端末識別情報２４Ａとが組として登録される。
この後、ユーザ登録手段１５Ｃは、無線端末２へ認証成功を通知する（ステップ１２６）。無線端末２の制御部２５は、網管理サーバ１からの認証成功に応じて、接続情報取得手段２５Ａにより、記憶部２４の端末識別情報２４Ａを用いた接続要求を非接触ＩＣチップ２１の内部メモリへ格納し（ステップ１２７）、一連のユーザ登録動作を終了する。
【００８１】
このように、本実施の形態は、無線端末２のユーザ登録要求手段２５Ｄにより、公衆網８を介して網管理サーバ１へ端末識別情報２４Ａを含むユーザ登録要求を送信し、網管理サーバ１のユーザ登録手段１５Ｃにより、公衆網８を介して無線端末２から受信したユーザ登録要求に含まれている端末識別情報２４Ａを記憶部１４へ保存することによりユーザ登録を行うようにしたので、必要に応じてユーザからユーザ登録を行うことができ、より柔軟な通信システムを実現できる。また、網管理サーバ１では無線端末２の端末識別情報２４Ａを予め登録しておく必要がなくなり、無線端末２に関する管理作業を大幅に削減できる。
【００８２】
また、本実施の形態では、ユーザ登録要求に応じてユーザＩＤやパスワードなどの認証情報を用いた認証を行うようにしてもよく、ユーザ登録処理において、所望のセキュリティ性を確保できる。
【００８３】
［第３の実施の形態］
次に、図１０を参照して、本発明の第３の実施の形態にかかる通信システムについて説明する。図１０は、本発明の第３の実施の形態にかかる通信システムの構成を示すブロック図である。
第１の実施の形態では、無線端末２が無線ＬＡＮアクセスポイント４から閉域ＩＰ網７を介してデータサーバ５へ接続する場合を例として説明した。本実施の形態では、無線端末２が無線ＬＡＮアクセスポイント４から閉域ＩＰ網７を介してＩＰ電話装置６へ接続する場合について説明する。
【００８４】
図１０において、閉域ＩＰ網７には、閉域ＩＰ網７を介してＶｏＩＰ通話を行うＩＰ電話装置６が接続されている。
【００８５】
［網管理サーバ］
次に、図１１を参照して、本発明の第３の実施の形態にかかる通信システムで用いられる網管理サーバについて詳細に説明する。図１１は、本発明の第３の実施の形態にかかる通信システムで用いられる網管理サーバの構成を示すブロック図であり、前述の図２と同じまたは同等部分には同一符号を付してある。
【００８６】
この網管理サーバ１には、図２と比較して、記憶部１４の端末登録情報１４Ｃ、制御部１５の端末登録手段１５Ｄ、および制御部１５の呼制御手段１５Ｅがそれぞれ追加されている。なお、網管理サーバ１におけるこれら以外の構成については前述と同様であり、ここでの詳細な説明は省略する。
【００８７】
記憶部１４の端末登録情報１４Ｃは、一般的なＳＩＰ(Session Initiation Protocol)などのＩＰ電話呼制御用プロトコルで用いられる管理情報であり、当該網管理サーバ１で呼制御を行うＩＰ電話端末のＩＰアドレス、ＵＲＬ、電話番号などが組として登録されている。
【００８８】
制御部１５の端末登録手段１５Ｄは、閉域ＩＰ網７に接続されている無線端末２やＩＰ電話装置６などのＩＰ電話端末からの端末登録要求に応じて、これらＩＰ電話端末を当該網管理サーバ１で呼制御を行う配下のＩＰ電話端末として端末登録情報１４Ｃへ登録する機能を有している。
制御部１５の呼制御手段１５Ｅは、端末登録情報１４Ｃに登録されている配下のＩＰ電話端末について呼制御を行う機能を有している。
【００８９】
［無線端末］
次に、図１２を参照して、本発明の第３の実施の形態にかかる通信システムで用いられる無線端末について説明する。図１２は、本発明の第３の実施の形態にかかる通信システムで用いられる無線端末の構成を示すブロック図であり、前述の図４と同じまたは同等部分には同一符号を付してある。
【００９０】
この無線端末２には、図３と比較して、制御部２５のＩＰ電話機能手段２５Ｅ、および音声処理部２８が設けられている。
制御部２５のＩＰ電話機能手段２５Ｅは、網管理サーバ１へ端末登録を要求する機能と、網管理サーバ１を介して他のＩＰ電話端末と接続してＶｏＩＰ通話を行う機能とを有している。
【００９１】
音声処理部２８は、無線ＬＡＮＩ／Ｆ部２２で受信された音声パケットを復号して音声信号に変換しスピーカ（図示せず）から出力する機能と、マイク（図示せず）から入力された音声信号を符号化して音声パケットを生成して無線ＬＡＮＩ／Ｆ部２２へ出力する機能とを有している。
【００９２】
［第３の実施の形態の動作］
次に、図１３を参照して、本発明の第３の実施の形態にかかる通信システムの動作について説明する。図１３は、本発明の第３の実施の形態にかかる通信システムのユーザ登録動作を示すシーケンス図であり、前述の図４と同じまたは同等部分には同一符号を付してある。
【００９３】
ここでは、ユーザが携帯している無線端末２を通信システム１０Ａの非接触リーダライタ３へ近接させることにより、無線端末２で網管理サーバ１から非接触ＩＣチップ２１を介して無線ＬＡＮ接続情報２４Ｂを取得し、その無線ＬＡＮ接続情報２４Ｂを用いて無線ＬＡＮアクセスポイント４と接続し、閉域ＩＰ網７を用いたＶｏＩＰ通話を行う場合について説明する。
【００９４】
ユーザは、所望の通信システム１０Ａの閉域ＩＰ網７を用いて所望のＩＰデータ通信を行う場合、当該通信システム１０Ａの非接触リーダライタ３へ無線端末２を近接させる。例えば通信システム１０Ａが出張先事業所や任意のイベント会場で閉域ＩＰ網７を提供するシステムの場合、その事業所やイベント会場の入口に非接触リーダライタ３を設けておけばよい。
【００９５】
無線端末２を非接触リーダライタ３へ近接させた場合、無線端末２の非接触ＩＣチップ２１と非接触リーダライタ３とが近接し（ステップ１００）、非接触ＩＣチップ２１が非接触リーダライタ３と近距離無線通信回線３０を介して接続される。これに応じて、非接触リーダライタ３に読み出し動作により、非接触ＩＣチップ２１の内部メモリに予め書き込まれている接続要求が非接触リーダライタ３へ送信され（ステップ１０１）、非接触リーダライタ３から閉域ＩＰ網７を介して網管理サーバ１へ通知される。
【００９６】
網管理サーバ１の制御部１５は、通信Ｉ／Ｆ部１１を介して非接触リーダライタ３から接続要求を受信した場合、接続情報送信手段１５Ｂにより、当該接続要求に含まれている無線端末２の端末識別情報２４Ａと記憶部１４のユーザ管理情報１４Ａとを比較することにより無線端末２のユーザ認証を行う（ステップ１０２）。
ここで、当該接続要求に含まれている無線端末２の端末識別情報２４Ａがユーザ管理情報１４Ａに登録されておらずユーザ認証に失敗した場合、接続情報送信手段１５Ｂは、当該無線端末２に対して閉域ＩＰ網７への接続は不可であると判断し、当該無線端末２に対する無線ＬＡＮ接続情報１４Ｂの送信は行わない。
【００９７】
一方、当該接続要求に含まれている無線端末２の端末識別情報２４Ａがユーザ管理情報１４Ａに登録されておりユーザ認証に成功した場合、接続情報送信手段１５Ｂは、当該無線端末２に対して閉域ＩＰ網７への接続は可であると判断し、記憶部１４から無線ＬＡＮ接続情報１４Ｂを取得して、通信Ｉ／Ｆ部１１から閉域ＩＰ網７を介して非接触リーダライタ３へ送信する（ステップ１０３）。
これに応じて、非接触リーダライタ３の書き込み動作により、網管理サーバ１からの無線ＬＡＮ接続情報１４Ｂが非接触リーダライタ３から無線端末２の非接触ＩＣチップ２１へ送信される。
【００９８】
無線端末２の制御部２５は、非接触ＩＣチップ２１に対する非接触リーダライタ３の書き込み動作に応じて、接続情報取得手段２５Ａにより、非接触ＩＣチップ２１で受信された無線ＬＡＮ接続情報１４Ｂを取得して、記憶部２４へ無線ＬＡＮ接続情報２４Ｂとして保存する（ステップ１０４）。
その後、制御部２５は、データ通信手段２５Ｂにより、記憶部２４に保存してある無線ＬＡＮ接続情報２４Ｂを用いて、無線ＬＡＮＩ／Ｆ部２２から無線ＬＡＮアクセスポイント４との間で、無線ＬＡＮ通信方式に基づく無線ＬＡＮ接続処理を行う（ステップ１０５）。
【００９９】
接続処理完了後、制御部２５は、ＩＰ電話機能手段２５Ｅにより、無線ＬＡＮアクセスポイント４を介して閉域ＩＰ網７と接続し、網管理サーバ１へ端末登録要求を送信して端末登録処理を開始する（ステップ１３０）。
網管理サーバ１の制御部１５は、通信Ｉ／Ｆ部１１を介して無線端末２からの端末登録要求を受信した場合、端末登録手段１５Ｄにより、当該無線端末２を配下のＩＰ電話端末として記憶部１４の端末登録情報１４Ｃへ登録する（ステップ１３１）。以降、この端末登録処理は無線端末２と網管理サーバ１との間で定期的に行われる。
【０１００】
その後、ユーザによるＩＰ電話装置６宛の発信操作が操作入力部２６で検出された場合、無線端末２の制御部２５は、ＩＰ電話機能手段２５Ｅにより、無線ＬＡＮＩ／Ｆ部２２から網管理サーバ１に対して発信要求を送信する（ステップ１３２）。
網管理サーバ１は、通信Ｉ／Ｆ部１１を介して無線端末２からの発信要求を受信した場合、呼制御手段１５Ｅにより、その発信要求で指定された発信先であるＩＰ電話装置６へ通信Ｉ／Ｆ部１１から閉域ＩＰ網７を介して着信を通知する（ステップ１３３）。
【０１０１】
その後、通信Ｉ／Ｆ部１１を介してＩＰ電話装置６からの応答を受信した場合（ステップ１３４）、呼制御手段１５Ｅは、通信Ｉ／Ｆ部１１を介して無線端末２へ応答を通知する（ステップ１３５）。
無線端末２のＩＰ電話機能手段２５Ｅは、無線ＬＡＮＩ／Ｆ部２２を介して網管理サーバ１からの応答を受信した場合、無線ＬＡＮＩ／Ｆ部２２から閉域ＩＰ網７を介してＩＰ電話装置６と接続し、音声処理部２８を用いたＶｏＩＰ通話を開始する（ステップ１３６）。
【０１０２】
このように、本実施の形態は、無線端末２のＩＰ電話機能手段２５Ｅにより、無線ＬＡＮアクセスポイント４を介して網管理サーバ１と接続し当該無線端末２をＩＰ電話端末として登録する端末登録要求を行うとともに、無線ＬＡＮアクセスポイント４を介して閉域ＩＰ網７に接続してＶｏＩＰ通話を行い、網管理サーバの端末登録手段１５Ｄにより、無線ＬＡＮアクセスポイント４を介して受信した無線端末２からの端末登録要求に応じて当該無線端末２を配下のＩＰ電話端末として端末登録し、呼制御手段１５Ｅにより、端末登録手段１５Ｄで端末登録された配下のＩＰ電話端末に対してＶｏＩＰ通話のための呼制御を行うようにしたので、無線端末２が無線ＬＡＮアクセスポイント４に接続してＶｏＩＰ通話を行うための無線ＬＡＮ接続情報を網管理サーバ１から容易に取得することができる。
【０１０３】
これにより、ユーザが無線端末２を非接触リーダライタ３へかざす、あるいは無線端末２を携帯するユーザが非接触リーダライタ３の付近を通過するという極めて簡素な行為だけで、ユーザによる無線ＬＡＮアクセスポイントに関する無線ＬＡＮ接続情報の設定操作を必要とすることなく、任意の無線ＬＡＮアクセスポイントへ容易に接続でき、閉域ＩＰ網７を用いた所望のＶｏＩＰ通話を行うことが可能となる。
【０１０４】
したがって、本実施の形態を社内通信システムに適応した場合、異なる事業所の通信システム１０Ａ，１０Ｂへユーザの無線端末２を容易に接続することが可能となる。
すなわち、ユーザが他の事業所へ出張した際、ユーザが携帯する携帯電話機などの無線端末２を、その事業所の入口に設置された通信システム１０Ｂの非接触リーダライタ３に近接させることにより、ユーザは無線端末２を出張先事業所の通信システム１０Ｂに容易に接続できる。
【０１０５】
これにより、ユーザは自己の無線端末２から閉域ＩＰ網７に接続されているＩＰ電話装置６とＶｏＩＰ通話を行うことが可能となる。
また、出張先から帰社した際、その社屋の入口に設置された通信システム１０Ａの非接触リーダライタ３にユーザが無線端末２に近接させることにより、ユーザは自己の無線端末２を出張先事業所の通信システム１０Ｂに容易に接続でき、閉域ＩＰ網７に接続されているＩＰ電話装置６とＶｏＩＰ通話を行うことが可能となる。
【０１０６】
また、本実施の形態をイベント会場の通信システムに適応した場合、異なる会場の通信システム１０Ａ，１０Ｂへユーザの無線端末２を容易に接続することが可能となる。
すなわち、ユーザが任意の会場へ入場する際、ユーザが携帯する携帯電話機などの無線端末２を、その会場の入口に設置された通信システム１０Ａ，１０Ｂの非接触リーダライタ３に近接させることにより、ユーザは無線端末２を会場の通信システム１０Ａ，１０Ｂに容易に接続できる。これにより、個々の会場の閉域ＩＰ網７に接続されている他のＩＰ電話装置６や無線端末２とＶｏＩＰ通話を容易に行うことが可能となる。
【０１０７】
［第４の実施の形態］
次に、図１４を参照して、本発明の第４の実施の形態にかかる通信システムについて説明する。図１４は、本発明の第４の実施の形態にかかる通信システムの構成を示すブロック図である。
第１の実施の形態では、通信システム１０の閉域ＩＰ網７に接続されている各無線ＬＡＮアクセスポイント４で共通の無線ＬＡＮ接続情報１４Ｂを用いる場合について説明した。本実施の形態では、閉域ＩＰ網７に接続されている各無線ＬＡＮアクセスポイント４で異なる無線ＬＡＮ接続情報１４Ｂを用いる場合について説明する。
【０１０８】
図１４において、閉域ＩＰ網７には、それぞれ異なる無線ＬＡＮ接続情報１４Ｂを用いる無線ＬＡＮアクセスポイント４Ａ，４Ｂが接続されている。また、閉域ＩＰ網７には、無線ＬＡＮアクセスポイント４Ａに対応する非接触リーダライタ３Ａと、無線ＬＡＮアクセスポイント４Ｂに対応する非接触リーダライタ３Ｂが別個に接続されている。なお、網管理サーバ１および無線端末２の構成については、前述と同様でありここでの詳細な説明は省略する。
【０１０９】
網管理サーバ１は、記憶部１４で、各無線ＬＡＮアクセスポイント４の無線ＬＡＮ接続情報１４Ｂをそれぞれ個別に管理している。図１５は、無線ＬＡＮ接続情報の構成例である。この例では、非接触リーダライタ３のＩＰアドレスなどを用いた識別情報であるリーダライタＩＤと、当該非接触リーダライタ３に対応する無線ＬＡＮアクセスポイント４で用いられるＳＳＩＤやＷＥＰなどの無線ＬＡＮ接続情報とが組として登録されており、無線端末２からの接続要求を受信した非接触リーダライタ３に対応する無線ＬＡＮ接続情報１４Ｂが読み出されて無線端末２へ通知される。
【０１１０】
すなわち、前述した図４のステップ１０１において、無線端末２の非接触ＩＣチップ２１からの接続要求を非接触リーダライタ３が受信した場合、網管理サーバ１の接続情報送信手段１５Ｂは、当該無線端末２のユーザ認証の成功を確認した後（ステップ１０２）、記憶部１４から無線ＬＡＮ接続情報１４Ｂを取得して、通信Ｉ／Ｆ部１１から閉域ＩＰ網７を介して非接触リーダライタ３へ送信する（ステップ１０３）。
このとき、接続情報送信手段１５Ｂは、例えば当該接続要求の通知元情報に基づき、当該接続要求を受信した非接触リーダライタ３を識別し、そのリーダライタＩＤに対応する無線ＬＡＮ接続情報１４Ｂを取得して当該無線端末２へ送信する。
【０１１１】
これにより、無線端末２は、近接した非接触リーダライタ３に対応する無線ＬＡＮアクセスポイント４の無線ＬＡＮ接続情報１４Ｂを取得し、非接触リーダライタ３に対応する無線ＬＡＮアクセスポイント４へ接続してデータ通信を行うことになる。
【０１１２】
このように、本実施の形態は、非接触リーダライタ３とこれに対応する無線ＬＡＮアクセスポイント４をそれぞれ複数備え、網管理サーバ１の端末管理手段１５Ａにより、無線端末２からの接続要求を受けた非接触リーダライタ３に対応する無線ＬＡＮアクセスポイント４の無線ＬＡＮ接続情報１４Ｂを記憶部１４から取得し、非接触リーダライタ３を介して無線端末２へ送信するようにしたので、同一拠点に配置されている１つ以上の無線ＬＡＮアクセスポイント４で同一無線ＬＡＮ接続情報１４Ｂを用いることにより、１つの網管理サーバ１で複数の拠点を一括管理することができる。
【０１１３】
したがって、拠点間を移動する無線端末２の接続位置を網管理サーバ１で容易に一元管理することができ、無線端末２へのアクセス要求があった場合、移動先の拠点に位置する無線端末２へアクセス要求を転送でき、柔軟なデータ通信を行うことができる。具体的には、前述した第３の実施の形態のようなＶｏＩＰ通話を実現する通信システムに本実施の形態を適用した場合、着信転送を容易に実現できる。
【０１１４】
例えば、図１０において、本来の拠点である通信システム１０Ａから他の拠点である通信システム１０Ｂへ無線端末２が移動している場合、通信システム１０Ａの網管理サーバ１では、無線端末２がどこへ移動しているか把握しておらず、無線端末２への着信を正常に処理することができない。また、通信システム１０Ａ，１０Ｂの網管理サーバ１間で端末登録状況を相互に問い合わせることもできるが、別途処理が必要となる。
本実施の形態によれば、網管理サーバ１で複数の拠点を一括管理しているため、無線端末２の接続位置を網管理サーバ１で一元管理することができ、無線端末２への着信を正常に処理することができる。
【０１１５】
［各実施の形態の拡張］
以上の各実施の形態では、閉域ＩＰ網７が社内ＬＡＮなどの比較的小さなＩＰ網である場合を例として説明したが、これに限定されるものではなく、例えばインターネットなどの公衆ＩＰ網上に形成されたＶＰＮなどのＩＰ網を閉域ＩＰ網７として利用することもでき、離れた拠点を結ぶ広範囲の通信システムを構築できる。
【０１１６】
また、各実施の形態では、１つの非接触リーダライタ３に対して１つの無線ＬＡＮアクセスポイント４が割り当てられている場合を例として説明したが、これに限定されるものではない。例えば拠点の範囲が広い場合、１つの非接触リーダライタ３に対して複数の無線ＬＡＮアクセスポイント４を割り当て、各無線ＬＡＮアクセスポイント４で同じ無線ＬＡＮ接続情報１４Ｂを用いるようにしてもよい。あるいはイベント会場の入口が複数ある場合には、入口ごとに非接触リーダライタ３を配置して１つあるいは複数の無線ＬＡＮアクセスポイント４を割り当てることもできる。
【０１１７】
また、第１の実施の形態では、無線端末２が閉域ＩＰ網７に接続されているデータサーバ５とＩＰデータ通信を行う場合を例として説明したが、通信相手については閉域ＩＰ網７上のデータサーバ５や他の無線端末２に限定されものではない。例えば、網管理サーバ１に公知のゲートウェイ機能を設け、インターネットなどの公衆ＩＰ網と無線端末２とを接続してもよい。
【０１１８】
また、第３の実施の形態では、無線端末２が閉域ＩＰ網７に接続されているＩＰ電話装置６や他の無線端末２とＶｏＩＰ通話を行う場合を例として説明したが、通話相手については閉域ＩＰ網７上のＩＰ電話端末に限定されものではない。
例えば、網管理サーバ１が前述の網Ｉ／Ｆ部１２（図６参照）を介して公衆電話網８Ａに接続されている場合、網管理サーバ１にＶｏＩＰ通話とアナログ通話を相互接続する公知のゲートウェイ機能を設けることにより、閉域ＩＰ網７に接続されている無線端末２と公衆電話網８Ａに接続されている電話端末との間で網管理サーバ１を経由して通話を行うことが可能となる。
【０１１９】
また、各実施の形態では、無線端末２から閉域ＩＰ網７を無料で利用可能な場合を前提として説明したが、これに限定されるものではない。例えば、図４のステップ１０２において、無線端末２からの接続要求に応じてユーザ認証を行う場合、無線端末２に対する課金決済の可否を確認し、課金決済方法が予め設定されている場合にのみ無線ＬＡＮ接続情報１４Ｂを送信するようにしてもよい。また、課金の方法については無線ＬＡＮアクセスポイント４への接続時間や利用日数を網管理サーバ１で管理して従量課金してもよく、月極で課金してもよい。これにより、本実施の形態にかかる通信システムにより、通信事業者が提供する公衆無線ＬＡＮ通信システムを実現できる。
【図面の簡単な説明】
【０１２０】
【図１】本発明の第１の実施の形態にかかる通信システムの構成を示すブロック図である。
【図２】本発明の第１の実施の形態にかかる通信システムで用いられる網管理サーバの構成を示すブロック図である。
【図３】本発明の第１の実施の形態にかかる通信システムで用いられる無線端末の構成を示すブロック図である。
【図４】本実施の形態にかかる通信システムの動作を示すシーケンス図である。
【図５】本発明の第２の実施の形態にかかる通信システムの構成を示すブロック図である。
【図６】本発明の第２の実施の形態にかかる通信システムで用いられる網管理サーバの構成を示すブロック図である。
【図７】本発明の第２の実施の形態にかかる通信システムで用いられる無線端末の構成を示すブロック図である。
【図８】本発明の第２の実施の形態にかかる通信システムのユーザ登録動作を示すシーケンス図である。
【図９】ユーザ管理情報の構成例である。
【図１０】本発明の第３の実施の形態にかかる通信システムの構成を示すブロック図である。
【図１１】本発明の第３の実施の形態にかかる通信システムで用いられる網管理サーバの構成を示すブロック図である。
【図１２】本発明の第３の実施の形態にかかる通信システムで用いられる無線端末の構成を示すブロック図である。
【図１３】本発明の第３の実施の形態にかかる通信システムのユーザ登録動作を示すシーケンス図である。
【図１４】本発明の第４の実施の形態にかかる通信システムの構成を示すブロック図である。
【図１５】無線ＬＡＮ接続情報の構成例である。
【符号の説明】
【０１２１】
１…網管理サーバ、１１…通信Ｉ／Ｆ部、１２…網Ｉ／Ｆ部、１４…記憶部、１４Ａ…ユーザ管理情報、１４Ｂ…無線ＬＡＮ接続情報、１４Ｐ…プログラム、１４Ｑ…接続アプリ、１５…制御部、１５Ａ…端末管理手段、１５Ｂ…接続情報送信手段、１５Ｃ…ユーザ登録手段、１５Ｄ…端末登録手段、１５Ｅ…呼制御手段、２…無線端末、２１…非接触ＩＣチップ、２２…無線ＬＡＮＩ／Ｆ部、２３…無線Ｉ／Ｆ部、２４…記憶部、２４Ａ…端末識別情報、２４Ｂ…無線ＬＡＮ接続情報、２４Ｐ…プログラム、２４Ｑ…接続アプリ、２５…制御部、２５Ａ…接続情報取得手段、２５Ｂ…データ通信手段、２５Ｃ…接続アプリ取得手段、２５Ｄ…ユーザ登録要求手段、２５Ｅ…ＩＰ電話機能手段、２６…操作入力部、２７…画面表示部、２８…音声処理部、３，３Ａ，３Ｂ…非接触リーダライタ、３０…近距離無線通信回線、４，４Ａ，４Ｂ…無線ＬＡＮアクセスポイント、４０…無線ＬＡＮ通信回線、５…データサーバ、６…ＩＰ電話装置、７…閉域ＩＰ網、８…公衆網、８Ａ…公衆電話網、８Ｂ…公衆携帯電話網、９Ａ…電話回線、９Ｂ…無線回線、１０，１０Ａ，１０Ｂ…通信システム。
【図１】
2007116319.tif 000003
【図２】
2007116319.tif 000004
【図３】
2007116319.tif 000005
【図４】
2007116319.tif 000006
【図５】
2007116319.tif 000007
【図６】
2007116319.tif 000008
【図７】
2007116319.tif 000009
【図８】
2007116319.tif 000010
【図９】
2007116319.tif 000011
【図１０】
2007116319.tif 000012
【図１１】
2007116319.tif 000013
【図１２】
2007116319.tif 000014
【図１３】
2007116319.tif 000015
【図１４】
2007116319.tif 000016
【図１５】
2007116319.tif 000017